(57)【要約】【課題】  断熱性及び遮音性に優れた床板材及び床構造を開発する。【解決手段】  硬度３０以上９０以下の発泡樹脂ボードの上にクッション材を積層し、その上に背面に多数のスリット溝を形成した木質板を積層する。木質板にスリット溝を設けることで、柔軟性が増し、衝撃や振動を吸収しやすくなり、下層のクッション材及び発泡樹脂ボードとの相乗効果により、遮音効果が向上する。また、発泡樹脂ボードは断熱性にも優れ、硬度が３０以上９０以下なので床の沈み込みも少ない。【選択図】      図１
0003119634.tif 000002
【実用新案登録請求の範囲】
【請求項１】
硬度３０以上９０以下の発泡樹脂ボードの上にクッション材を積層し、その上に背面に多数のスリット溝を形成した木質板を積層したことを特徴とする床板材。
【請求項２】
請求項１の床板材において、前記スリット溝の平均間隔が１０ｍｍ以上、２０ｍｍ以下であり、かつ、スリット溝の深さ（ｔ）が、前記木質板の厚さ（Ｔ）に対して、
Ｔ−ｔ＝２．５〜４ｍｍ
であることを特徴とする床板材。
【請求項３】
請求項１又は２の床板材において、前記発泡樹脂ボードの厚さが２ｍｍ以上、１０ｍｍ以下であり、前記クッション材の厚さが１ｍｍ以上、４ｍｍ以下であることを特徴とする床板材。
【請求項４】
請求項１〜３のいずれかの床板材において、前記発泡樹脂ボードの下面に、該発泡樹脂ボードよりも硬度の小さな調整シートを貼付したことを特徴とする床板材。
【請求項５】
請求項４の床板材において、前記調整シート厚さが１ｍｍ以上、３ｍｍ以下であり、かつ、前記クッション材と前記調整シートの厚さの合計が４ｍｍ以下であることを特徴とする床板材。
【請求項６】
床本体の上に、硬度３０以上９０以下の発泡樹脂ボードを設け、その上にクッション材を設け、更にその上に背面に多数のスリット溝を形成した木質板を設けたことを特徴とする床構造。
【請求項７】
請求項６の床構造において、前記スリット溝の平均間隔が１０ｍｍ以上、２０ｍｍ以下であり、かつ、スリット溝の深さ（ｔ）が、前記木質板の厚さ（Ｔ）に対して、
Ｔ−ｔ＝２．５〜４ｍｍ
であることを特徴とする床構造。
【請求項８】
請求項６又は７の床構造において、前記発泡樹脂ボードの厚さが２ｍｍ以上、１０ｍｍ以下であり、前記クッション材の厚さが１ｍｍ以上、４ｍｍ以下であることを特徴とする床構造。
【請求項９】
請求項６〜８のいずれかの床構造において、前記床本体と発泡樹脂ボードの間に、該発泡樹脂ボードよりも硬度の小さな調整シートを設けたことを特徴とする床構造。
【請求項１０】
請求項９の床構造において、前記調整シート厚さが１ｍｍ以上、３ｍｍ以下であり、かつ、前記クッション材と前記調整シートの厚さの合計が４ｍｍ以下であることを特徴とする床構造。
【考案の詳細な説明】
【技術分野】
【０００１】
本考案は、コンクリートスラブなどの床本体に貼付する床板材、及び建築物の床の構造に関する。
【背景技術】
【０００２】
例えば集合住宅などの床本体（コンクリートスラブなど）に貼付する床板材としては、騒音が発生が少なくまた階下に伝わりにくいための遮音性、冷暖房が効率よく行えるような断熱性が求められる。下記の特許文献１には、遮音性及び断熱性に配慮した床板材が開示されている。この床板材は、板面に平行して多数の孔を並設したプラスチック板の片面に板材を接着したものである。
【特許文献１】実開昭６０−２６８３１号公報
【考案の開示】
【考案が解決しようとする課題】
【０００３】
上記従来の床板材は、断熱性には優れるものの、遮音性は満足できるものではなかった。本考案は、上記従来の床板材の遮音性を向上させると共に、断熱性も更に改善することを課題としてなされたものである。
【課題を解決するための手段】
【０００４】
本考案は、硬度３０以上９０以下の発泡樹脂ボードの上にクッション材を積層し、その上に背面に多数のスリット溝を形成した木質板を積層したことを特徴とする床板材である。
【０００５】
また、本考案は、床本体の上に、硬度３０以上９０以下の発泡樹脂ボードを設け、その上にクッション材を設け、更にその上に背面に多数のスリット溝を形成した木質板を設けたことを特徴とする床構造である。
【０００６】
本考案における硬度は、ＪＩＳ  Ｋ  ６３０１Ａ  に基づく硬度である。木質板にスリット溝を設けることで、柔軟性が増し、衝撃や振動を吸収しやすくなり、下層のクッション材のクッション性との相乗効果により、遮音効果が向上する。すなわち、木質板に衝撃や振動が発生したとき、スリット溝の幅が広くなったり狭くなったりする変形が生じ、これにより衝撃や音が吸収緩和されるのであるが、下層に弾性に富んだクッション材があることで、このようなスリット溝の動きが妨げられることがなく、騒音の発生、階下への伝達を低減できる。スリット溝の平均間隔は１０〜２０ｍｍとするのが良く、更に好ましくは１０〜１５ｍｍである。２０ｍｍを越えると騒音の発生、階下への伝達を低減する効果が減少し、１０ｍｍ未満にすると木質板の強度が著しく低下する。スリット溝の深さ（ｔ）は、木質板の厚さ（Ｔ）に対して、
Ｔ−ｔ＝２．５〜４ｍｍ
とするのがよい。Ｔ−ｔが２．５ｍｍよりも小さいと木質板の強度が著しく低下し、取り扱いが不便となり、４ｍｍよりも大きいと遮音効果が低下する。
【０００７】
本考案は、硬度３０以上９０以下の発泡樹脂ボードを用いることで、断熱性及び遮音性が向上し、しかも変形しにくいので、床を踏み込んだときの沈み込みが少なく、違和感がない。
【０００８】
硬度３０以上９０以下の発泡樹脂ボードの下層に、これよりも硬度の小さな調整シートを設けると、コンクリートスラブなどの床本体表面に多少の凹凸が存在しても、最下層の調整シートがこれを吸収し、施工能率がよくなり、仕上がりもきれいになる。また、断熱性能が更に向上する上に、床に発生する衝撃や振動を吸収するので、遮音性能も更に向上する。
【考案の効果】
【０００９】
本考案の床板材は、断熱性及び遮音性に優れるので、これをコンクリートスラブなどの床本体に直に貼付しても、冷暖房の効率が良く、また階下に騒音が伝わりにくく、快適な住環境を実現できる。
【００１０】
本考案の床構造は、二重床構造ではなく直貼り構造でありながら、冷暖房の効率が良く、また階下に騒音が伝わりにくく、低コスト・短工期で施工することができる。
【考案を実施するための最良の形態】
【００１１】
本考案において、木質板は、合板、パーティクル板（木材を砕いたものをバインダーで固めて成形した板）など、又はこれらの組み合わせで、例えば、表面に化粧合板を積層したいわゆるフローリング板とすることができる。
【００１２】
本考案において、クッション材は不織布、スポンジ、発泡軟質樹脂などの弾性に富んだシート状のものが好適である。厚さは１ｍｍ〜４ｍｍ程度が良く、１ｍｍよりも薄いと騒音発生を低減する効果が小さく、４ｍｍを越えると床の沈み込みが大きくなる。
【００１３】
本考案において、硬度３０以上９０以下の発泡樹脂ボードは、例えばポリスチレン系樹脂やポリオレフィン系樹脂などの発泡樹脂とすることができる。硬度３０未満では、軟らかすぎて床の沈み込みが大きくなり、９０を越えると断熱効果、遮音効果が低減する。厚さは２〜１０ｍｍ程度が良く、２ｍｍ未満では断熱効果、遮音効果が低減し、１０ｍｍを越える厚さは不必要であり、床の沈み込みが大きくなるおそれもある。
【００１４】
本考案において、調整シートはスポンジ、発泡軟質樹脂などの弾性に富んだシート状のものが好適である。厚さは１ｍｍ〜３ｍｍ程度が良く、１ｍｍよりも薄いと床本体の凹凸を吸収する効果が不十分で３ｍｍを越えると床の沈み込みが大きくなる。なお、前記クッション材の厚さと調整シートの厚さの合計は４ｍｍ以下が好ましい。合計の厚さが４ｍｍを越えると床の沈み込みが大きくなる。
【実施例】
【００１５】
以下、図面に基づいて本考案の実施例を説明する。図１は実施例の床板材１の略断面図、図２は実施例の床板材１'の略断面図、図３は実施例の床構造の略断面図である。
【００１６】
図１に示す実施例の床板材１は、硬度９０（ＴＥＣＬＯＣＫ製、ＨＡＲＤＮＥＳＳ  ＴＥＳＴＥＲ  ＧＳ−７０６Ｎ  ＴＹＰＥ  Ａで測定、以下同じ）、厚さ１０ｍｍの発泡樹脂ボード４（発泡ポリスチレン製）の上に厚さ１．５ｍｍのクッション材３（不織布シート）を積層（接着）し、その上に背面に多数のスリット溝を形成した厚さ１２ｍｍの木質板２を積層（接着）したものである。木質板２は上面に木目を施した合板（いわゆるフローリング）で、下面に、幅方向のスリット溝８が平均間隔１３ｍｍで設けられている。また、幅方向及び長さ方向の端面には接合凸部６及び接合凹部７が設けられている。スリット溝の深さは９ｍｍ、幅は１ｍｍである。床板材１の大きさは、例えば１４５ｍｍ×９０９ｍｍとすることができる。
【００１７】
図２に示す実施例の床板材１'は、前記の床板材１の発泡樹脂ボード４の下面に硬度２０、厚さ２ｍｍの調整シート５（発泡ポリスチレン製）を貼付したものである。調整シートを貼付することで、コンクリートスラブなどの床本体表面に多少の凹凸が存在しても、調整シートがこれを吸収し、施工能率がよくなり、仕上がりもきれいになる。また、断熱性能が向上する上に、調整シートが床に発生する衝撃や振動を吸収するので、遮音性能もさらに向上する。
【００１８】
図３に示す床構造は、床本体９（コンクリートスラブ）の上に図２の床板材１’を貼付した構造となっている。この床構造は、床本体９の上に、調整シート５、発泡樹脂ボード４、クッション材３、木質板２を順次貼付して施工することで得ることもできる。
【００１９】
上記の図２の床板材１’と、上記特許文献に記載されている従来の床板材について遮音性能を比較した結果、実施例はＬＬ値（主に通常の生活音を基準とした軽量衝撃音で、実験室に設置したタッピングマシーンで発生させた衝撃音を階下の受音室で測定した値）が２５０〜１０００Ｈｚにおいて約２５％低減していた。また、断熱性能（熱伝導率）については約３０％向上していた。
【図面の簡単な説明】
【００２０】
【図１】実施例の床板材１の略断面図である。
【図２】実施例の床板材１'の略断面図である。
【図３】実施例の床構造の略断面図である。
【符号の説明】
【００２１】
１  床板材
１’  床板材
２  木質板
３  クッション材
４  発泡樹脂ボード
５  調整シート
６  接合凸部
７  接合凹部
８  スリット溝
９  床本体
【図１】
0003119634.tif 000003
【図２】
0003119634.tif 000004
【図３】
0003119634.tif 000005